(57)【要約】  【課題】  硬貨処理装置本体からの脱着作業中に持ち替えることを必要とせずに、任意の必要枚数を残した収納硬貨の回収および補充作業を同時に迅速かつ確実に行うことを目的とする。  【解決手段】  硬貨収納筒の背面において釣銭として残す硬貨の枚数分の高さより上方の部位を開閉自在に覆う蓋体と、前記硬貨収納筒内に積載収納された硬貨のうち釣銭として残す硬貨の最上位硬貨を保持する硬貨保持手段とを具え、該硬貨保持手段は、下端が前記硬貨収納筒内に水平かつ前後方向に出没自在であって、突出時に前記釣銭として残す硬貨のうち最上位硬貨の上面の略中心部を覆う出没部材と、前記硬貨収納装置正面から操作可能であって前記出没部材の突出および退避を操作する操作レバーとを有して、かつ、前記硬貨収納筒の正面側と前記硬貨収納装置正面を覆う正面カバーとの間に配置されるようにした。【選択図】  図８Ｂ
2013131123.tif 000002
【特許請求の範囲】
【請求項１】
装置正面に操作部を有するラッチ機構を介して硬貨処理装置に脱着自在に装着可能である脱着式硬貨収納装置において、
硬貨を収納するために直線的かつ並列に設けられた複数の円筒部を有する硬貨収納筒と、
該硬貨収納筒の背面において釣銭として残す硬貨の枚数分の高さより上方の部位を開閉自在に覆う蓋体と、
前記硬貨収納装置の脱着の際に前記ラッチ機構の操作部と共に同一の手で把持するための取手孔と、
前記操作部と前記取手孔とを除く前記脱着式硬貨収納装置正面を覆う正面カバーと、
少なくとも一つの前記円筒部内に積載収納された硬貨のうち釣銭として残す硬貨の最上位硬貨を保持する硬貨保持手段とを具え、
該硬貨保持手段は、
上部に設けられた移動軸が上下方向にスライド自在であるとともに、下端が前記円筒部内に水平かつ前後方向に出没自在であって、前記移動軸が下方にスライド移動した際に前記下端が前記円筒部内に突出するように移動軸を中心に回転自在に設けられて、突出時に前記釣銭として残す硬貨のうち最上位硬貨の上面の略中心部を覆う出没部材と、
該出没部材と互いに回転自在であるように枢結し、前記出没部材の回転方向に対して逆回転方向に前記硬貨収納装置正面から操作可能であって前記出没部材の突出および退避を操作する操作レバーとを有して、
かつ、前記円筒部の正面側と前記正面カバーとの間に配置されることを特徴とする脱着式硬貨収納装置。
【請求項２】
前記蓋体は、少なくとも１つの境界部を有し、上方の蓋体は下方の蓋体を閉塞したまま開閉自在であるように上下方向に分割して構成され、
上方の一部の蓋体のみ拡開するかまたは全ての蓋体を拡開するかによって、少なくとも一つの前記円筒部において、釣銭として残す硬貨枚数を少なくとも２通り設定可能であって、
なおかつ、前記硬貨保持手段は、少なくとも一つの前記円筒部に対して、
上方の蓋体を拡開した状態において釣銭として残す硬貨のうち最上位硬貨の上面の略中心部を覆う前記出没部材を具えた前記硬貨保持手段と、
下方の蓋体を拡開した状態において釣銭として残す硬貨のうち最上位硬貨の上面の略中心部を覆う前記出没部材を具えた前記硬貨保持手段との少なくとも２つを具えることを特徴とする請求項１に記載の脱着式硬貨収納装置。
【請求項３】
前記出没部材が前記円筒部内から退避している状態において、前記出没部材の一面と前記円筒部の内周壁面とが略同一面を形成することを特徴とする請求項１または２に記載の脱着式硬貨収納装置。
【請求項４】
前記出没部材または前記操作レバーは、前記出没部材の退避時においては該出没部材が前記円筒部内から退避する方向に付勢し、かつ前記出没部材の突出時においては該出没部材が前記円筒部内に突出する方向に付勢する付勢手段を有することを特徴とする請求項１乃至３のいずれかに記載の脱着式硬貨収納装置。
【請求項５】
前記出没部材または前記操作レバーは、前記出没部材が前記円筒部内から退避する方向に常時付勢する付勢手段を有することを特徴とする請求項１乃至３のいずれかに記載の脱着式硬貨収納装置。
【発明の詳細な説明】
【技術分野】
【０００１】
本発明は、自動販売機、両替機、サービス機器等の機器内部に搭載される硬貨処理装置に脱着可能である硬貨収納装置に関し、特に硬貨収納装置から必要な枚数を残して他の硬貨を取り出す技術に関する。
【背景技術】
【０００２】
一般に、自動販売機、両替機、サービス機器等の機器内部には、投入硬貨の真偽を判別して正貨を金種別に選別収納するとともに、この選別収納された硬貨を釣銭として払い出す硬貨処理装置が搭載されている。
【０００３】
この硬貨処理装置に搭載される脱着式硬貨収納装置（以下、硬貨収納装置と称す。）は、硬貨処理装置に対して脱着自在であって、金種別に硬貨を積層して収容する複数の硬貨収納部が設けられている。
【０００４】
上記硬貨収納装置は、主に、硬貨選別部から落下する硬貨を積載収納するための直線的かつ並列に設けられた複数の硬貨収納筒と、硬貨収納装置の下方部を塞ぐように硬貨収納筒の下方域にねじ等で固着されたコインベースと、硬貨収納筒の下端とコインベースとの間にスライド自在に支承され、複数の硬貨収納筒全ての最下層にある硬貨を一枚ずつ引き出すペイアウトスライドとから構成され、硬貨収納装置の上部を筐体に係止または解除するラッチ機構と、取り外しおよび装着の際に指を嵌挿して引っかけるために硬貨収納装置正面に形成された取手部とをさらに具えている（特許文献１：特開２００２−６３６４０号公報等参照）。
【０００５】
このような硬貨収納装置を有する硬貨処理装置は、ラッチ機構を操作して硬貨処理装置本体と硬貨収納装置との結合を解除することによって、硬貨処理装置を機器に配設した状態のまま硬貨収納装置を取り外すことができる。
そして、硬貨処理装置本体から離脱させた硬貨収納装置は、硬貨収納筒の背面を構成して開閉自在に覆う蓋体を拡開することによって、収納硬貨を迅速かつ容易に回収することができる。
【０００６】
ところで、上記硬貨処理装置を搭載した自動販売機等の機器においては、定期的に商品等の補充や、収納貨幣および硬貨の回収、釣銭の補充をする必要がある。
特に、収納硬貨の回収と補充においては、硬貨処理装置本体から離脱させた硬貨収納装置の硬貨収納筒内の収納硬貨を全て回収した後、硬貨処理装置を搭載した自動販売機等機器の設置場所に適合した釣銭枚数を数えて、再度、硬貨収納筒へ補充する必要がある。
そして、これらの作業は、収納硬貨回収と釣銭の補充を迅速かつ確実に行うことが必要とされている。
【０００７】
硬貨収納筒内の残留硬貨の回収および釣銭用硬貨の補充を容易にするため、本出願人は、硬貨収納筒の背面側に、釣銭として残したい硬貨枚数と回収したい硬貨枚数との境界部において拡開する蓋体を設けて、蓋体を拡開した状態で硬貨収納装置を傾倒することによって、任意の必要枚数を残して硬貨を回収可能である技術を開発している（特許文献２：特開２０１０−１４６３１４号公報）。
【０００８】
しかしながら、上記特許文献２の技術においては、硬貨の側面を支承しているだけなので、硬貨収納装置を傾倒させ過ぎたり、勢いよく傾倒させたりして、釣銭として残したい硬貨まで落下してしまう虞があり、確実性に課題を有する。逆に、傾倒させずに回収する場合は、指で硬貨を取り出す必要があり煩雑である。
【０００９】
また、硬貨収納筒に設けた押圧部材を操作して硬貨側面を加圧して保持することによって、硬貨収納装置を逆さまにした際に、釣銭として残したい硬貨の落下を防止する技術が開示されている（特許文献３：特許第３１９７６７５号公報）。
【００１０】
しかしながら、上記特許文献３の技術においては、硬貨収納装置を傾倒させ過ぎたり、勢いよく傾倒させたりすることによって、硬貨の自重が押圧力より勝って、押圧されている硬貨が落下する虞がある。また、硬貨収納部の脱着操作時に使用する箇所とは別の箇所での操作が必要なため、離脱させた硬貨収納装置を持ち替える作業が追加され、この際に誤って硬貨収納装置を落下させてしまう等の作業に支障が発生する虞がある。
【００１１】
また、硬貨収納筒内に揺動して出没自在なフックを設け、硬貨収納装置を硬貨処理装置本体から取り外した際にフックが硬貨収納筒内に突出させて釣銭として残したい硬貨を保持し、硬貨収納装置を硬貨処理装置本体に装着する際に、フックを硬貨収納筒外に退避させる技術が開示されている（特許文献４：特開平０８−１６８６３号公報）。
【００１２】
しかしながら、上記特許文献４の技術においては、フックの突出量が少ないので、保持した硬貨がフックから外れる虞がある。また、たとえフックの突出量を増やしたとしても、フックが軸を介して回転するものなので、保持した硬貨とフックとの間に間隙が生じて保持した硬貨がフックから外れる虞がある。また、上記特許文献３と同様に、硬貨収納部の脱着操作時に使用する箇所とは別の箇所での操作が必要なため、離脱させた硬貨収納装置を持ち替える作業が追加され、この際に誤って硬貨収納装置を落下させてしまう等の作業に支障が発生する虞がある。
【００１３】
すなわち、上記各従来技術においては、硬貨収納装置を慎重に扱う必要があるので、迅速な作業の妨げになる。
【先行技術文献】
【特許文献】
【００１４】
【特許文献１】特開２００２−６３６４０号公報
【特許文献２】特開２０１０−１４６３１４号公報
【特許文献３】特許第３１９７６７５号公報
【特許文献４】特開平０８−１６８６３号公報
【発明の概要】
【発明が解決しようとする課題】
【００１５】
そこで、本発明は、上述した事情に鑑み、任意の必要枚数を残した収納硬貨の回収を、硬貨処理装置本体からの脱着作業中に持ち替えることを必要とせずに、残留硬貨の落下を防止して、硬貨の回収および補充作業を同時に迅速かつ確実に行うことが可能な硬貨収納装置を提供することを目的とする。
【課題を解決するための手段】
【００１６】
上述した課題を解決する為に、本発明の硬貨収納装置は、硬貨収納筒の背面において釣銭として残す硬貨の枚数分の高さより上方の部位を開閉自在に覆う蓋体と、前記硬貨収納装置正面を覆う正面カバーと、前記硬貨収納筒内に積載収納された硬貨のうち釣銭として残す硬貨の最上位硬貨を保持する硬貨保持手段とを具え、該硬貨保持手段は、上部に設けられた移動軸が上下方向にスライド自在であるとともに、下端が前記硬貨収納筒内に水平かつ前後方向に出没自在であって、前記移動軸が下方にスライド移動した際に前記下端が前記硬貨収納筒内に突出するように移動軸を中心に回転自在に設けられて、突出時に前記釣銭として残す硬貨のうち最上位硬貨の上面の略中心部を覆う出没部材と、該出没部材と互いに回転自在であるように枢結し、前記出没部材の回転方向に対して逆回転方向に前記硬貨収納装置正面から操作可能であって前記出没部材の突出および退避を操作する操作レバーとを有して、かつ、前記硬貨収納筒の正面側と前記正面カバーとの間に配置されるようにしている。
【００１７】
さらに、前記蓋体は、少なくとも１つの境界部を有し、上方の蓋体は下方の蓋体を閉塞したまま開閉自在であるように上下方向に分割して構成され、上方の一部の蓋体のみ拡開するかまたは全ての蓋体を拡開するかによって、少なくとも一つの前記硬貨収納筒において、釣銭として残す硬貨枚数を少なくとも２通り設定可能であって、なおかつ、前記硬貨保持手段は、少なくとも一つの前記硬貨収納筒に対して、上方の蓋体を拡開した状態において釣銭として残す硬貨のうち最上位硬貨の上面の略中心部を覆う前記出没部材を具えた前記硬貨保持手段と、下方の蓋体を拡開した状態において釣銭として残す硬貨のうち最上位硬貨の上面の略中心部を覆う前記出没部材を具えた前記硬貨保持手段との少なくとも２つを具えるようにしてもよい。
【００１８】
さらに、前記出没部材が前記硬貨収納筒内から退避している状態において、前記出没部材の一面と前記硬貨収納筒の内周壁面とが略同一面を形成するようにしてもよい。
【００１９】
さらに、前記出没部材または前記操作レバーは、前記出没部材の退避時においては該出没部材が前記硬貨収納筒内から退避する方向に付勢し、かつ前記出没部材の突出時においては該出没部材が前記硬貨収納筒内に突出する方向に付勢する付勢手段を有するようにしてもよい。
【００２０】
また、前記出没部材または前記操作レバーは、前記出没部材が前記硬貨収納筒内から退避する方向に常時付勢する付勢手段を有するようにしてもよい。
【発明の効果】
【００２１】
このような構成によれば、釣銭として残す硬貨の側面を硬貨収納筒の内周壁面によって常時覆い、かつ、硬貨回収時においては、釣銭として残す硬貨のうち最上位硬貨の上面の略中心部を出没部材によって覆う。
【００２２】
この際、出没部材を上方に設けた移動軸を中心に回転させて硬貨収納筒内に突出するようにしたので、硬貨の上面を押さえる下端の突出量を大きくすることができる。
【００２３】
また、移動軸を上下方向にスライド自在に設けて、出没部材の下端が硬貨収納筒内に突出した際に移動軸が下方にスライド移動し、下端が硬貨収納筒内に水平に突出させることによって、硬貨の上面と出没部材の下面との隙間を極力開かないようにしたので、残留硬貨の滑り出しおよび落下を防止できる。
【００２４】
そして、この出没部材の硬貨収納筒内への突出および硬貨収納筒内からの退避を操作する操作レバーの操作部を硬貨処理装置正面に設けたので、硬貨収納装置を硬貨処理装置本体からの脱着作業内において、持ち替えることなく、硬貨の回収を行うことが可能である。
【図面の簡単な説明】
【００２５】
【図１】本発明に係る硬貨収納装置の主に背面側の構成を示す斜視図。
【図２】本発明に係る硬貨収納装置の正面図。
【図３】図１において蓋体を拡開した状態を示す斜視図。
【図４】図１において第２の蓋体を閉塞した状態のまま第１の蓋体を拡開した状態を示す斜視図。
【図５Ａ】出没部材が退避した状態を示す、図３におけるＸ部分拡大図。
【図５Ｂ】出没部材が突出した状態を示す、図３におけるＸ部分拡大図。
【図６Ａ】出没部材が退避した状態を示す要部の概略側断面図。
【図６Ｂ】出没部材が突出した状態を示す要部の概略側断面図。
【図７Ａ】出没部材が退避した状態を示す要部の概略側断面図。
【図７Ｂ】出没部材が突出した状態を示す要部の概略側断面図。
【図８Ａ】余剰硬貨が収納された状態において蓋体が閉塞したた状態を示す硬貨収納装置の概略側断面図。
【図８Ｂ】図８Ａにおいて、蓋体が拡開した状態であって、出没部材が突出した状態を示す概略側断面図。
【図８Ｃ】図８Ｂにおいて硬貨収納装置を後方に傾倒した様子を示す概略側断面図。
【発明を実施するための形態】
【００２６】
以下、本発明に係る硬貨収納装置の一実施例を示して詳述する。
【００２７】
図１に示す硬貨収納装置１は、図示せぬ硬貨選別部から落下する硬貨を積載収納する為の直線的かつ並列的に設けられた複数の円筒部２１〜２５からなる硬貨収納筒２を有し、装置本体を構成する筐体３と、硬貨収納筒２背面の一部を開閉自在に覆う蓋体４と、硬貨収納装置１の下方部を塞ぐように硬貨収納筒３の下方域にねじ等で固着されたコインベース５とから主に構成されるものである。
【００２８】
そして、図２に示すように、この硬貨収納装置１の正面には、硬貨収納装置１の上部を図示せぬ硬貨処理装置本体に係止または解除するラッチ機構６の操作部６１を有し、筐体３の正面を覆う正面カバー３１には、ラッチ機構６の操作部６１を操作可能であるように設けられた操作孔３２と、取り外しおよび装着の際に指を嵌挿して引っかけるための取手孔３３とを具えており、操作部６１と取手孔３３とを、片手で掴持可能であるように配置することによって、片手のみの操作で、硬貨収納装置１を図示せぬ硬貨処理装置本体に装着または取り外しすることを可能にしている。
【００２９】
さらに、硬貨収納装置１の正面には、硬貨収納筒２内の釣銭として残したい硬貨のうち最上位の硬貨をそれぞれ保持する硬貨保持手段７、７、７の操作部である操作レバー８、８、８を具える。なお、各硬貨保持手段７、７、７は、それぞれ操作レバー８と出没部材９とから構成されて硬貨収納筒２の正面側と筐体３の正面カバー３１との間に少なくとも１つ（本実施例においては、円筒部２３に１つおよび円筒部２４に２つ）配設されるものであり、これらの構成については、後に詳述する。
【００３０】
硬貨収納筒２の各円筒部２１〜２５の正面側は、筐体３で構成している。
他方、硬貨収納筒２の各円筒部２１〜２５の背面側は、図１に示すように、蓋体４と筐体３とによって上下に分割して構成しており、第１の設定時における釣銭として残したい硬貨枚数分の高さまでの部位は筐体３で構成し、それ以上の部位は蓋体４で構成している。
【００３１】
この蓋体４はさらに、第１の蓋体４１と第２の蓋体４２とによって、上下を分割して構成しており、第２の設定時における釣銭として残したい硬貨枚数分の高さまでの部位は筐体３および第２の蓋体４２で構成し、それ以上の部位は第１の蓋体４１で構成している。
【００３２】
なお、本実施例において、硬貨収納筒２は、円筒部２１、２２、２３、２４、２５に、それぞれ、１０円硬貨、５０円硬貨、１０円硬貨、１００円硬貨、５００円硬貨を積載収納するものとしている。そして、前記第１の設定とは、１００円硬貨２５枚を硬貨収納筒２内に残す設定であり、前記第２の設定とは、１０円硬貨５０枚および１００円硬貨４５枚を硬貨収納筒２内に残す設定である。
【００３３】
すなわち、円筒部２４において１００円硬貨２５枚分の高さに対応するように、蓋体４と筐体３との境界部２４ｂを構成し、円筒部２３においては１０円硬貨５０枚分の高さに対応してかつ円筒部２４において１００円硬貨４５枚分の高さに対応するように、第１の蓋体４１と第２の蓋体４２との境界部２３ａ、２４ａを構成するものとしている。
【００３４】
第１の蓋体４１と第２の蓋体４２とからなる蓋体４は、図３に示すように、筐体３の下部に形成した軸部３４と第２の蓋体４２に設けた軸部４２ａとの係合により、筐体３に対して回転自在に支承されている。
【００３５】
そして、蓋体４を拡開している状態においては、硬貨収納筒２内の収納硬貨のうち、前記第１の設定における釣銭として残さない硬貨の外周面の背面側略半分が硬貨収納装置１から露出するようにしている。
【００３６】
また、第１の蓋体は、図４に示すように、第２の蓋体４２の上部に形成した軸部４２ｂと第１の蓋体４１に設けた軸部４１ａとの係合により、第２の蓋体４２に対して回転自在に支承されており、第２の蓋体４２を閉塞した状態のまま、第１の蓋体４１のみを拡開することが可能である様態に構成している。
【００３７】
そして、第２の蓋体４２を閉塞した状態のまま第１の蓋体４１を拡開している状態においては、硬貨収納筒２内の収納硬貨のうち、前記第２の設定における釣銭として残さない硬貨の外周面の背面側略半分が硬貨収納装置１から露出するようにしている。
【００３８】
なお、蓋体４を閉塞している状態においては、硬貨収納筒２の硬貨を収容する各円筒部２１〜２５の周面を、装置本体３の内周壁面３５と、第１蓋体４１の内周壁面４１ｂと、第２の蓋体４２の内周壁面４２ｃとによって構成している。
【００３９】
ここで、図３および図４に示すように、円筒部２３、２４における第１の蓋体４１と第２の蓋体４２とのそれぞれの境界部２３ａ、２４ａと、円筒部２４における筐体３と蓋体４との境界部２４ｂとを、背面側に向かって若干下方に傾斜するように形成し、第１の蓋体４１および第２の蓋体４２の開閉がスムーズであるようにするとともに、第２の蓋体４２における各境界部２３ａ、２４ａの背面側中央にそれぞれ凸部４２ｄ、４２ｄを形成し、筐体３における境界部２４ｂの背面側中央に凸部３６を形成して、釣銭として残したい硬貨の後方側の側面を覆うようにしている。
【００４０】
また、図３に示すように、第２の蓋体４２における境界部２４ｂの背面側中央には、凸部３６に対向する凹部４２ｅを形成しており、第２の蓋体４２を閉塞した際に、凹部４２ｅが、凸部３６に嵌合して、筐体３と第２の蓋体４２とが一体的に連結するようにしている。
【００４１】
また、図１に示すように、第１の蓋体４１における各境界部２３ａ、２４ａの背面側中央には、それぞれ凸部４２ｄ、４２ｄに対向する凹部４１ｃ、４１ｃを形成しており、第１の蓋体４１を閉塞した際に、凹部４１ｃ、４１ｃが、それぞれ凸部４２ｄ、４２ｄに嵌合して、第２の蓋体４２と第１の蓋体４１とが一体的に連結するようにしている。
【００４２】
すなわち、第１の蓋体４１および第２の蓋体４２を閉塞した際に、筐体３と、第２の蓋体４２と、第１の蓋体４１とは、一体的に連結するものである。
【００４３】
このように、開閉自在な蓋体４を設けることによって、硬貨収納筒２の上端からのみならず、背面側から収納硬貨を回収することが可能であり、蓋体４を拡開した状態で硬貨収納装置１を後方に傾倒して硬貨を落下させることによって、硬貨収納筒２内に積載収納された硬貨の回収を容易かつ迅速にできる。
その際、釣銭として残したい硬貨の落下を防止することによって、同時に釣銭用硬貨の補充を確実に完了することができる。
【００４４】
また、蓋体４を第１の蓋体４１と第２の蓋体４２とに分割して構成することによって、釣銭として残す硬貨の種類および枚数の組み合わせを、２通り設定することが可能である。なお、蓋体４の分割数をさらに増やすことによって、釣銭として残す硬貨の種類および枚数の組み合わせを３通り以上設定することも可能である。
【００４５】
ここで、上述した硬貨保持手段７について、その構成と作用を詳細に説明する。
【００４６】
上述した如く、各硬貨保持手段７、７、７は、それぞれ操作レバー８と出没部材９とから構成され、図３および図４に示すように、各境界部２３ａ、２４ａ、２４ｂの正面側に設けられる。
それぞれの硬貨保持手段７、７、７の構成は同様であるので、ここでは、境界部２４ｂにおける硬貨保持手段７について説明する。
【００４７】
操作レバー８は、図２に示すように、正面カバー３１に形成された操作孔３７を介して操作部８１を操作可能であるように設けている。
【００４８】
他方、出没部材９は、図５Ａおよび図５Ｂに示すように、円筒部２４の正面側に配置される 板体であって、操作レバー８の操作部８１を操作された際には、円筒部２４内の境界部２４ｂの直ぐ上方に出没部材９の下部が後方（円筒部２４の中心方向）に突出するものである。
【００４９】
円筒部２４内に硬貨が収納されている場合であって、出没部材９の下部が円筒部２４内に突出している状態においては、出没部材９の下端９１が、釣銭として残す硬貨のうち最上位硬貨の上面の略中心部を上方から覆い、釣銭として残す硬貨を保持している。
【００５０】
また、待機状態においては、出没部材９の下部が円筒部２４内から退避し、出没部材９の背面９２と円筒部２４の内周壁面３５とが略同一面を形成し、円筒部２４内に落下してきた硬貨が引っ掛かるのを回避している。
【００５１】
上述した操作レバー８と出没部材９とは、図６Ａおよび図６Ｂに示すように、待機状態において、円筒部２３の正面側と筐体３の正面カバー３１との間に配設されて、連結軸８２、９３を介して互いに回転自在であるように枢結される。
【００５２】
そして、操作レバー８は、筐体３内における円筒部２４の正面側に設けられた固定軸３８と、操作レバー８の後部に設けた回転軸８３との係合により、筐体３に対して回転自在に支承されており、操作部８１を操作することによって、連結軸８２、９３は、回転軸８３を中心に回転移動する様態に構成される。
【００５３】
また、出没部材９の正面側上部には、移動軸９３は、円筒部２４の正面側に垂直方向に形成したガイドレール３９内に沿って上下にスライド自在であるように嵌合される移動軸９４が設けられる。
【００５４】
このような構成によると、操作レバー８の操作部８１を図示反時計回りに引き上げると、操作レバー８は、回転軸８３を中心にして図示反時計回りに回転し、操作レバー８の連結軸８２および出没部材９の連結軸９３が、円筒部２４内に突出するとともに、移動軸９４が下方にスライド移動して、出没部材９が図示時計回りに回転しながら、下端９１が水平後方に移動する。
【００５５】
また、操作レバー８の操作部８１を図示時計回りに押し下げると、操作レバー８は、回転軸８３を中心にして図示時計回りに回転し、操作レバー８の連結軸８２および出没部材９の連結軸９３が、円筒部２４内から退避するとともに、移動軸９４が上方にスライド移動して、出没部材９が図示反時計回りに回転しながら、下端９１が水平前方に移動する。
【００５６】
この際、操作レバー８には、操作レバー８の回転位置に応じて付勢力の方向が変化するコイルバネからなる付勢手段８４を設けており、出没部材８の退避時においては、図示時計回り方向に付勢し、出没部材８の突出時においては、図示反時計回り方向に付勢するようにしている。
【００５７】
したがって、待機状態において、誤って出没部材８が円筒部２４内に突出して、落下してくる硬貨が詰まる等の不具合を防止することができ、また、釣銭として残す硬貨を保持している状態において、操作レバー８から指を離しても、硬貨の保持状態を維持することができるので、操作が容易である。
【００５８】
なお、付勢手段８４の代わりに、図７Ａおよび図７Ｂに示すように、出没部材９が円筒部２４内から退避する方向に常時付勢する付勢手段８５を設けて、出没部材９の突出時において、操作レバー８から指を離すと、出没部材８が退避するようにすることも可能である。
【００５９】
次に、上述した如く構成した本発明の硬貨収納装置１において、硬貨収納装置１内に収納された硬貨を回収する方法と、硬貨回収時における各構成の作用とについて説明する。なお、ここでは、付勢手段８４を配設した硬貨収納装置１の構成に基いて説明する。
【００６０】
まず、硬貨収納装置１正面に設けられたラッチ機構６の操作部６１と取手孔３１とを片手で掴持しながら、ラッチ機構６を解除して、硬貨収納装置１を図示せぬ硬貨処理装置本体から取り外す。
【００６１】
図８Ａは蓋体が閉塞した状態を示す硬貨収納装置１である。この図８Ａに示す硬貨収納装置１を片手で掴持した状態のまま、他方の手で第１の蓋体４１および第２の蓋体４２を拡開すると、円筒部２４内の収納硬貨の内、釣銭として残さない硬貨の外周面略半分が硬貨収納装置１から露出する。なお、第１の蓋体４１および第２の蓋体４２を拡開する時に、硬貨収納装置１を正面側に若干傾倒させておくと、円筒部２４内の硬貨を予期せずに落下させることを防止できる。
【００６２】
次に、第１の蓋体４１および第２の蓋体４２を拡開したまま操作レバー８の操作部８１を図示反時計回りに引き上げると、図８Ｂに示すように、操作レバー８が回転軸８３を中心にして図示反時計回りに回転する。
【００６３】
操作レバー８の回転に従動して、操作レバー８の連結軸８２および出没部材９の連結軸９３が、円筒部２４内に突出するとともに、移動軸９４が下方にスライド移動して、出没部材９が図示時計回りに回転しながら、下端９１が水平後方に移動すると、出没部材９の下端９１が、釣銭として残す硬貨のうち最上位硬貨の略中心部を上方から覆う。
【００６４】
この際、出没部材９の下端９１は、円筒部２３の略中心部まで突出し、余剰分の硬貨は、出没部材９に押されて落下するので、予め用意してあった図示せぬ回収袋等の内部に硬貨を落下させて硬貨を回収する。この際、操作レバー８は付勢手段８４の付勢力によって、回転位置を維持されているので、操作部８１から指を離しても構わない。
【００６５】
さらに、硬貨収納装置１を背面側に傾倒すれば、全ての余剰分の硬貨を確実に回収できる。
【００６６】
余剰分の硬貨を全て回収した後、硬貨収納装置１を直立状態に戻し、操作レバー８１を図示時計回りに押し下げると、出没部材９が円筒部２３内から退避する。
その後、蓋体４を閉塞した硬貨収納装置１を図示せぬ硬貨処理装置に装着して、硬貨回収作業は終了する。
【００６７】
このように、本発明の硬貨収納装置は、釣銭として残す硬貨の側面を硬貨収納筒の内周壁面によって常時覆い、かつ、釣銭として残す硬貨のうち最上位硬貨の上面の略中心部を出没部材によって覆うようにしている。
【００６８】
この際、出没部材を上方に設けた移動軸を中心に回転させて円筒部内に突出するようにしたので、硬貨の上面を押さえる下端の突出量を大きくすることができる。
【００６９】
また、移動軸を上下方向にスライド自在に設けて、出没部材の下端が円筒部内に突出した際に移動軸が下方にスライド移動し、下端が円筒部内に水平に突出させることによって、硬貨の上面と出没部材の下面との隙間を極力開かないようにしたので、残留硬貨の滑り出しおよび落下を防止できる。
【００７０】
そして、この出没部材の円筒部内への突出および円筒部内からの退避を操作する操作レバーの操作部を硬貨処理装置正面に設けたので、硬貨収納装置を硬貨処理装置本体からの脱着作業内において、持ち替えることなく、硬貨の回収を行うことが可能である。
【００７１】
本発明の硬貨保持手段は、同一の円筒部に複数配置することが可能である。
蓋体を上下方向に分割して構成して、かつ、蓋体と筐体との境界部のみならず、上方の蓋体と下方の蓋体との境界部においても硬貨保持手段を配置するようにすれば、拡開する蓋体および操作する硬貨保持手段によって、釣銭として残す硬貨枚数を切り替えることが可能である。
【００７２】
また、出没部材が円筒部内から退避している状態において、出没部材の背面（円筒部の内に出没する部位の一面）と円筒部の内周壁面とが略同一平面を形成するようにすれば、円筒部内に落下してきた硬貨が引っ掛かるのを回避することができる。
【００７３】
さらに、出没部材または操作レバーに、出没部材の退避時においては出没部材が円筒部内から退避する方向に付勢し、出没部材の突出時においては出没部材が円筒部内に突出する方向に付勢する付勢手段を設けるようにすれば、待機状態において、誤って出没部材が円筒部内に突出し、落下してくる硬貨が詰まる等の不具合を防止することができ、また、釣銭として残す硬貨を保持している状態において、操作レバーから指を離しても、硬貨の保持状態を維持することができるので、操作が容易である。
【００７４】
この付勢手段は、出没部材が円筒部内から退避する方向に常時付勢して、出没部材の突出時において操作レバーから指を離すと、出没部材が退避するように設けることも可能である。
【００７５】
他の同様な実施形態についても同様に、本発明から逸脱することなく本発明特有の機能を有する形態であれば、説明した実施形態に変更や追加を行ってもよい。
したがって、特許請求の範囲に記載された本発明はいずれかの単一の実施形態に限定されないことは言うまでもない
【符号の説明】
【００７６】
１    硬貨処理装置
２    硬貨収納筒
３    筐体
３８  固定軸
３９  ガイドレール
４    蓋体
４１  第１の蓋体
４２  第２の蓋体
５    コインベース
６    ラッチ機構
７    硬貨保持手段
８    操作レバー
８１  操作部
８２  連結軸
８３  回転軸
８４  付勢手段
８５  付勢手段
９    出没部材
９１  下端
９２  背面
９３  連結軸
９４  移動軸
【図１】
2013131123.tif 000003
【図２】
2013131123.tif 000004
【図３】
2013131123.tif 000005
【図４】
2013131123.tif 000006
【図５Ａ】
2013131123.tif 000007
【図５Ｂ】
2013131123.tif 000008
【図６Ａ】
2013131123.tif 000009
【図６Ｂ】
2013131123.tif 000010
【図７Ａ】
2013131123.tif 000011
【図７Ｂ】
2013131123.tif 000012
【図８Ａ】
2013131123.tif 000013
【図８Ｂ】
2013131123.tif 000014
【図８Ｃ】
2013131123.tif 000015